(57)【要約】【課題】出力画像の見え方の整合性を確保することが可能であり、さらには、医用画像を広い範囲にわたって診断可能とする医用画像ネットワークシステムを提供する。【解決手段】本発明に係る医用画像ネットワークシステム１００によれば、参照端末３によりＷｅｂブラウザを用いて画像サーバ２に接続され、画像ＤＢ２３２に記憶されている画像データがリクエストされると、画像サーバ２から参照端末３にウェッジパターン画像データが送信されて表示部３３に表示され、表示されたウェッジパターン画像を測定した輝度測定データが画像サーバ２に送信されると、リクエストされた画像データが参照端末３の輝度測定データとともに画像処理装置４へ送信され、輝度測定データに基づいて画像データに対して階調補正処理が施され、この処理済み画像データが参照端末３へ送信され、参照端末３において、受信された処理済み画像が表示部３３に表示される。【選択図】図１
2005131241.tif 000002
【特許請求の範囲】
【請求項１】
人体を撮影することにより得られた医用画像データを管理する管理手段と、前記医用画像データに画像処理を施す画像処理手段と、前記管理手段に医用画像データの配信要求を行い、前記管理手段から供給された医用画像データを表示する参照端末と、を含む医用画像ネットワークシステムにおいて、
前記参照端末は、前記管理手段に前記医用画像データの配信要求及び／又は当該参照端末の表示階調特性に関する情報を送信し、
前記管理手段は、前記参照端末から送信された医用画像データの配信要求及び表示階調特性に関する情報を受信し、前記画像処理手段に、前記表示階調特性に関する情報に基づいて、前記配信要求された医用画像データに階調補正処理を行わせ、その階調補正処理された医用画像データを前記参照端末に送信するように構成されていることを特徴とする医用画像ネットワークシステム。
【請求項２】
人体を撮影することにより得られた医用画像データを管理する管理手段と、前記医用画像データに画像処理を施す画像処理手段と、前記管理手段に医用画像データの配信要求を行い、前記管理手段から供給された医用画像データを表示する参照端末と、を含む医用画像ネットワークシステムにおいて、
前記管理手段は、前記参照端末に予め定められたウェッジパターン画像データを送信し、
前記参照端末は、前記管理手段から受信されたウェッジパターン画像データを表示し、表示されたウェッジパターン画像データに基づいて、当該参照端末の表示階調特性に関する情報を生成し、前記生成された表示階調特性情報を前記管理手段に送信し、
前記管理手段は、前記参照端末から医用画像データの配信要求を受信した際に、前記画像処理手段に、前記表示階調特性情報に基づいて前記配信要求された医用画像データに階調補正処理を行わせ、その階調補正処理された医用画像データを前記参照端末に送信することを特徴とする医用画像ネットワークシステム。
【請求項３】
前記管理手段は、Ｗｅｂサーバとして機能するＷｅｂサーバ手段を有し、
前記参照端末は、Ｗｅｂブラウザとして機能するＷｅｂブラウザ手段を有し、前記Ｗｅｂブラウザ手段により前記管理手段に医用画像データの配信要求を行うことを特徴とする請求項１又は２に記載の医用画像ネットワークシステム。
【請求項４】
人体を撮影することにより得られた医用画像データを管理する管理手段と、前記管理手段に医用画像データの配信要求を行い、前記管理手段から供給された医用画像データを表示する参照端末と、を含む医用画像ネットワークシステムにおける画像表示方法であって、
前記参照端末において、前記管理手段に前記医用画像データの配信要求及び／又は当該参照端末の表示階調特性に関する情報を送信する工程と、
前記管理手段において、前記参照端末から送信された医用画像データの配信要求及び表示階調特性に関する情報を受信し、前記画像処理手段に、前記表示階調特性に関する情報に基づいて、前記配信要求された医用画像データに階調補正を行わせ、その階調補正処理された医用画像データを前記参照端末に送信する工程と、
を含むことを特徴とする画像表示方法。
【請求項５】
人体を撮影することにより得られた医用画像データを管理する管理手段と、前記管理手段に医用画像データの配信要求を行い、前記管理手段から供給された医用画像データを表示する参照端末と、を含む医用画像ネットワークシステムにおける画像表示方法であって、
前記管理手段において、前記参照端末に予め定められたウェッジパターン画像データを送信する工程と、
前記参照端末において、前記管理手段から受信されたウェッジパターン画像データを表示し、表示されたウェッジバターン画像データに基づいて、表示階調特性に関する情報を生成し、前記生成された表示階調特性情報を前記管理手段に送信する工程と、
前記管理手段において、前記参照端末から医用画像データの配信要求を受信した際に、前記画像処理手段に、前記表示階調特性情報に基づいて前記配信要求された医用画像データに階調補正処理を行わせ、その階調補正処理された医用画像データを前記参照端末に送信する工程と、
を含むとを特徴とする画像表示方法。
【発明の詳細な説明】
【技術分野】
【０００１】
本発明は、医用画像を保存する管理手段と医用画像を表示するための参照端末とをＷｅｂを利用して接続する医用画像ネットワークシステム及び画像表示方法に関する。
【背景技術】
【０００２】
近年、人体を撮影して医用画像の画像データを生成するＣＴ（Computed Tomography）、ＭＲＩ（Magnetic Resonance Imaging）、ＣＲ（Computed Radiography）、ＦＰＤ（Flat Panel Detector）、超音波診断装置等の各種画像収録モダリティ、医用画像を保存し管理する画像サーバ、医用画像をＣＲＴ等に表示する参照端末、医用画像をハードコピー出力する画像記録装置等をネットワークで接続する医用画像ネットワークシステムが利用されている。
【０００３】
例えば、特許文献１には、画像サーバと複数台の参照端末とをＷｅｂを使用してネットワーク接続するシステムが開示されている。このシステムでは、参照端末の数を、場所を限定せず広範囲にわたって容易に増加可能である。
【特許文献１】特開平１１−２３９１６５号公報
【発明の開示】
【発明が解決しようとする課題】
【０００４】
しかしながら、上記特許文献１においては、各参照端末相互間で表示品質が異なる可能性があり、画像データの見え方の整合性について考慮されていない。
【０００５】
本発明の課題は、出力画像の見え方の整合性を確保することが可能であり、さらには、医用画像を広い範囲にわたって診断可能とする医用画像ネットワークシステムを提供することである。
【課題を解決するための手段】
【０００６】
上記課題を解決するため、請求項１に記載の発明は、
人体を撮影することにより得られた医用画像データを管理する管理手段と、前記医用画像データに画像処理を施す画像処理手段と、前記管理手段に医用画像データの配信要求を行い、前記管理手段から供給された医用画像データを表示する参照端末と、を含む医用画像ネットワークシステムにおいて、
前記参照端末は、前記管理手段に前記医用画像データの配信要求及び当該参照端末の表示階調特性に関する情報を送信し、
前記管理手段は、前記参照端末から送信された医用画像データの配信要求及び／又は表示階調特性に関する情報を受信し、前記画像処理手段に、前記表示階調特性に関する情報に基づいて、前記配信要求された医用画像データに階調補正処理を行わせ、その階調補正処理された医用画像データを前記参照端末に送信するように構成されていることを特徴としている。
【０００７】
請求項２に記載の発明は、
人体を撮影することにより得られた医用画像データを管理する管理手段と、前記医用画像データに画像処理を施す画像処理手段と、前記管理手段に医用画像データの配信要求を行い、前記管理手段から供給された医用画像データを表示する参照端末と、を含む医用画像ネットワークシステムにおいて、
前記管理手段は、前記参照端末に予め定められたウェッジパターン画像データを送信し、
前記参照端末は、前記管理手段から受信されたウェッジパターン画像データを表示し、表示されたウェッジパターン画像データに基づいて、当該参照端末の表示階調特性に関する情報を生成し、前記生成された表示階調特性情報を前記管理手段に送信し、
前記管理手段は、前記参照端末から医用画像データの配信要求を受信した際に、前記画像処理手段に、前記表示階調特性情報に基づいて前記配信要求された医用画像データに階調補正処理を行わせ、その階調補正処理された医用画像データを前記参照端末に送信することを特徴としている。
【０００８】
請求項３に記載の発明は、請求項１又は２に記載の発明において、
前記管理手段は、Ｗｅｂサーバとして機能するＷｅｂサーバ手段を有し、
前記参照端末は、Ｗｅｂブラウザとして機能するＷｅｂブラウザ手段を有し、前記Ｗｅｂブラウザ手段により前記管理手段に医用画像データの配信要求を行うことを特徴としている。
【０００９】
請求項４に記載の発明は、
人体を撮影することにより得られた医用画像データを管理する管理手段と、前記管理手段に医用画像データの配信要求を行い、前記管理手段から供給された医用画像データを表示する参照端末と、を含む医用画像ネットワークシステムにおける画像表示方法であって、
前記参照端末において、前記管理手段に前記医用画像データの配信要求及び／又は当該参照端末の表示階調特性に関する情報を送信する工程と、
前記管理手段において、前記参照端末から送信された医用画像データの配信要求及び表示階調特性に関する情報を受信し、前記画像処理手段に、前記表示階調特性に関する情報に基づいて、前記配信要求された医用画像データに階調補正を行わせ、その階調補正処理された医用画像データを前記参照端末に送信する工程と、
を含むことを特徴としている。
【００１０】
請求項５に記載の発明は、
人体を撮影することにより得られた医用画像データを管理する管理手段と、前記管理手段に医用画像データの配信要求を行い、前記管理手段から供給された医用画像データを表示する参照端末と、を含む医用画像ネットワークシステムにおける画像表示方法であって、
前記管理手段において、前記参照端末に予め定められたウェッジパターン画像データを送信する工程と、
前記参照端末において、前記管理手段から受信されたウェッジパターン画像データを表示し、表示されたウェッジバターン画像データに基づいて、表示階調特性に関する情報を生成し、前記生成された表示階調特性情報を前記管理手段に送信する工程と、
前記管理手段において、前記参照端末から医用画像データの配信要求を受信した際に、前記画像処理手段に、前記表示階調特性情報に基づいて前記配信要求された医用画像データに階調補正処理を行わせ、その階調補正処理された医用画像データを前記参照端末に送信する工程と、
を含むとを特徴としている。
【発明の効果】
【００１１】
請求項１、４に記載の発明によれば、人体を撮影することにより得られた医用画像データを管理する管理手段と、医用画像データに画像処理を施す画像処理手段と、管理手段に医用画像データの配信要求を行い、管理手段から供給された医用画像データを表示する参照端末と、を含む医用画像ネットワークシステムにおいて、参照端末は、管理手段に医用画像データの配信要求及び自己の表示階調特性に関する情報を送信し、管理手段は、参照端末から送信された医用画像データの配信要求及び表示階調特性に関する情報を受信し、画像処理手段に、表示階調特性に関する情報に基づいて、配信要求された医用画像データに階調補正処理を行わせ、その階調補正処理された医用画像データを参照端末に送信するように構成されている。従って、医用画像ネットワークシステム上に複数の参照端末において表示階調をそろえることができ、画像の見え方の整合性を確保することができる。
【００１２】
請求項２、５に記載の発明によれば、人体を撮影することにより得られた医用画像データを管理する管理手段と、医用画像データに画像処理を施す画像処理手段と、管理手段に医用画像データの配信要求を行い、管理手段から供給された医用画像データを表示する参照端末とを含む医用画像ネットワークシステムにおいて、管理手段は、参照端末に予め定められたウェッジパターン画像データを送信し、参照端末は、管理手段から受信されたウェッジパターン画像データを表示し、表示されたウェッジパターン画像データに基づいて、当該参照端末の表示階調特性に関する情報を生成し、生成された表示階調特性情報を管理手段に送信し、管理手段は、参照端末から医用画像データの配信要求を受信した際に、画像処理手段に、表示階調特性情報に基づいて配信要求された医用画像データに階調補正処理を行わせ、その階調補正処理された医用画像データを参照端末に送信する。従って、
医用画像ネットワークシステム上に複数の参照端末において表示階調をそろえることができ、画像の見え方の整合性を確保することができる。また、参照端末で画像データの配信要求をする際に、各参照端末間で同一のウェッジパターン画像を測定することにより表示階調特性情報を取得し得られた表示階調特性情報に基づいて医用画像データの階調補正を行うことにより、画像を表示する際の環境をも加味した階調補正を行うことができ、より表示精度を向上させることができる。
【００１３】
請求項３に記載の発明によれば、管理手段は、Ｗｅｂサーバとして機能するＷｅｂサーバ手段を有し、参照端末は、Ｗｅｂブラウザとして機能するＷｅｂブラウザ手段を有し、Ｗｅｂブラウザ手段により管理手段に医用画像データの配信要求を行う。従って、参照端末は、管理手段にＷｅｂ接続することにより遠隔地に設置されていても医用画像データを表示することができるので、医用画像を広い範囲（World-Wide）にわたって診断することができる。
【発明を実施するための最良の形態】
【００１４】
＜第１の実施の形態＞
以下、図を参照して本発明の第１の実施の形態を詳細に説明する。ただし、発明の範囲は、図示例に限定されない。
【００１５】
まず、本実施の形態の構成を説明する。
図１は、本実施の形態における医用画像ネットワークシステム１００のシステム構成を示す概念図である。図１に示すように、医用画像ネットワークシステム１００には、画像収録モダリティ１、管理手段としての画像サーバ２、数台〜数百台の参照端末３、画像処理装置４等がネットワークＮを介して、データが送受信可能なように接続されている。
【００１６】
ネットワークＮは、ＬＡＮ（Local Area Network）やＷＡＮ（Wide Area Network）、インターネット等の様々な回線形態を適用可能である。なお、病院等の医療機関内で許可されるのであれば、無線通信や赤外線通信であってもよいが、重要な患者情報を含むため、送受信される情報は暗号化することが好ましい。
【００１７】
画像収録モダリティ１は、ＣＴ（Computed Tomography）、ＭＲＩ（Magnetic Resonance Imaging）、ＣＲ（Computed Radiography）、ＦＰＤ（Flat Panel Detector）、超音波診断装置等、人体を撮影した医用画像をデジタルデータとして収録するための装置である。これは、例えば撮影により取得したアナログの画像信号をデジタル変換してそのまま収録するものであってもよいし、撮影時に一旦フィルムなどに記録された医用画像を読み取ってデジタルデータを取得するものであってもよい。本実施の形態では、画像収録モダリティ１はＤＩＣＯＭ（Digital Image and Communications in Medicine）に対応しており、同じくＤＩＣＯＭに対応している画像サーバ２に対して、収録した画像データの保存を要求し、画像サーバ２に保存する。画像サーバ２に送信される画像データには、ＤＩＣＯＭ規格に応じた画像付帯情報（以下、付帯情報と称する）が付帯されるものとする。画像収録モダリティ１がＤＩＣＯＭ規格に不準拠の場合、図示しないＤＩＣＯＭ変換装置を用い、ＤＩＣＯＭの付帯情報を入力させることができる。
【００１８】
付帯情報としては、例えば、撮影された患者の患者氏名、患者ＩＤ、年齢、性別等の患者に関する患者情報、撮影日、撮影ＩＤ、撮影部位、撮影条件（体位、撮影方向等）、撮影装置、依頼科、検査目的、担当医等の検査情報、医用画像の画素数、ビット数、指定出力サイズ、読取画素サイズ、最大濃度（Ｄｍａｘ）等の画像データ情報等が挙げられる。
【００１９】
画像サーバ２は、ＤＩＣＯＭインタフェースが実装されたサーバコンピュータであり、画像収録モダリティ１により収録された画像データをその付帯情報と対応付けて画像ＤＢ（Date Base）２３２に保存し、管理するものである。
【００２０】
また、画像サーバ２は、Ｗｅｂサーバとしての機能を実行するためのアプリケーションプログラム、ＨＴＭＬ(Hyper Text Markup Language）ファイル等が実装されており、参照端末３等に搭載されたＷｅｂブラウザから要求された画像データを参照端末３に供給する。このようにＷｅｂに適合する構成とすることにより、広範囲（World-Wide）にわたって参照端末３に画像データを供給することができる。
【００２１】
ここで、図２を参照して、画像サーバ２の内部構成について説明する。
図２は、画像サーバ２の機能的構成を示すブロック図である。図２に示すように、画像サーバ２は、ＣＰＵ２１、ＲＡＭ２２、記憶部２３、通信制御部２４等を備えて構成され、各部はバス２５により接続されている。
【００２２】
ＣＰＵ２１は、記憶部２３に記憶されているシステムプログラムを読み出し、ＲＡＭ２２内に形成されたワークエリアに展開し、該システムプログラムに従って各部を制御する。また、ＣＰＵ２１は、記憶部２３に記憶されている各種処理プログラム、Ｗｅｂサーバとしての機能を実行するためのアプリケーションプログラム（Ｗｅｂサーバプログラム２３１）を始めとする各種アプリケーションプログラムを読み出してワークエリアに展開し、後述する画像表示処理Ａにおける画像サーバ２側処理を始めとする各種処理を実行する。
【００２３】
ＲＡＭ２２は、ＣＰＵ２１により実行制御される各種処理において、記憶部２３から読み出されたＣＰＵ２１で実行可能な各種プログラム、入力若しくは出力データ、及びパラメータ等の一時的に記憶する記憶領域を形成する。
【００２４】
記憶部２３は、ＨＤＤ（Hard Disc Drive）や不揮発性の半導体メモリ等により構成され、ＣＰＵ２１で実行されるシステムプログラム、当該システムプログラムに対応する各種処理プログラム、Ｗｅｂサーバプログラム２３１を始めとする各種アプリケーションプログラム、ＨＴＭＬファイルを始めとする各種データ等を記憶する。これらの各種プログラムは、読取可能なプログラムコードの形態で格納され、ＣＰＵ２１は、当該プログラムコードに従った動作を逐次実行する。
【００２５】
また、記憶部２３は、図２に示すように、画像ＤＢ２３２を有している。画像ＤＢ２３２は、画像収録モダリティ１から受信された画像データ及び付帯情報を互いに対応付けて記憶する。
【００２６】
通信制御部２４は、ＬＡＮアダプタやルータやＴＡ（Terminal Adapter）等を備え、ネットワークＮに接続された各装置との間の通信を制御する。
【００２７】
参照端末３は、画像データの診断を目的として設置されるＰＣ（Personal Computer）等の端末である。ここで、図３を参照して、参照端末３の内部構成について説明する。
図３は、参照端末３の機能的構成を示すブロック図である。図３に示すように、参照端末３は、ＣＰＵ３１、操作部３２、表示部３３、ＲＡＭ３４、記憶部３５、通信制御部３６等を備えて構成され、各部はバス３７により接続されている。
【００２８】
ＣＰＵ３１は、記憶部３５に記憶されているシステムプログラムを読み出し、ＲＡＭ３４内に形成されたワークエリアに展開し、該システムプログラムに従って各部を制御する。また、ＣＰＵ３１は、記憶部３５に記憶されている各種処理プログラム、Ｗｅｂブラウザとしての機能を実行するためのアプリケーションプログラム（Ｗｅｂブラウザプログラム３５１）を始めとする各種アプリケーションプログラムを読み出してワークエリアに展開し、後述する画像表示処理Ａにおける参照端末３側処理を始めとする各種処理を実行する。
【００２９】
操作部３２は、カーソルキー、数字入力キー、及び各種機能キー等を備えたキーボードを含み、このキーボードで押下されたキーに対応する押下信号をＣＰＵ３１に出力する。なお、操作部３２は、必要に応じてマウス、タッチパネル等のポインティングデバイスや、その他の入力装置を備えることとしてもよい。
【００３０】
表示部３３は、ＬＣＤ（Liquid Crystal Display）やＣＲＴ（Cathode Ray Tube）等のモニタにより構成され、ＣＰＵ３１から入力される表示信号の指示に従って、操作部３２からの入力指示やデータ等を表示する。
【００３１】
ＲＡＭ３４は、ＣＰＵ３１により実行制御される各種処理において、記憶部３５から読み出されたＣＰＵ３１で実行可能な各種プログラム、入力若しくは出力データ、及びパラメータ等の一時的に記憶する記憶領域を形成する。
【００３２】
記憶部３５は、ＨＤＤや不揮発性の半導体メモリ等により構成され、ＣＰＵ３１で実行されるシステムプログラム、当該システムプログラムに対応する各種処理プログラム、Ｗｅｂブラウザプログラム３５１を始めとする各種アプリケーションプログラム、各種データ等を記憶する。これらの各種プログラムは、読取可能なプログラムコードの形態で格納され、ＣＰＵ３１は、当該プログラムコードに従った動作を逐次実行する。
【００３３】
また、記憶部３５は、図３に示すように、当該参照端末３の表示部３３の表示階調特性データを格納する表示階調特性データ格納部３５２を記憶している。表示階調特性データは、例えば、表示部３３に複数ステップ（例えば、１６ステップ）からなるウェッジパターン画像を表示し、表示された各ステップの輝度値を輝度計等により測定した輝度測定データである。また、表示階調特性データは、機種に応じて予めメーカー等により設定されているものであってもよい。
【００３４】
通信制御部３６は、ＬＡＮアダプタやルータやＴＡ等を備え、ネットワークＮに接続された各装置との間での通信の制御を行う。
【００３５】
画像処理装置４は、プログラムに従って装置全体を制御するとともに各種処理を実行するＣＰＵ、各種プログラムやデータを記憶するＲＯＭ及びＲＡＭ、ネットワークＮ上の各装置との通信を制御する通信制御部等を備えて構成されており、画像サーバ２から画像データ及び表示階調特性データが受信されると、受信された表示階調特性データに基づいて、画像データに階調補正理等の画像処理を施して、画像サーバ２に返送する。
【００３６】
次に、本実施の形態の動作について説明する。
図４は、医用画像ネットワークシステム１００において実行される画像表示処理Ａを示すフローチャートである。以下、図４を参照して画像表示処理Ａについて説明する。
【００３７】
参照端末３において、操作部３２から画像サーバ２に画像データの配信要求を行うためのＵＲＬが指定され、画像サーバ２にアクセスされると（ステップＳ１）、画像サーバ２において、参照端末３に認証画面のＨＴＭＬファイルが送信される（ステップＳ２）。参照端末３において、操作部３２により認証画面上にユーザＩＤ及びパスワードが入力されて画像サーバ２に送信されると（ステップＳ３）、画像サーバ２において、認証の可否が判断され、認証されると（ステップＳ４）、参照端末３に画像リクエスト画面のＨＴＭＬファイルが送信される（ステップＳ５）。なお、ステップＳ４において、認証されない場合は、アクセス不可通知が参照端末３に送信される。
【００３８】
参照端末３において、画像リクエスト画面のＨＴＭＬファイルが受信されると、当該画像リクエスト画面が表示部３３に表示されるとともに（ステップＳ６）、表示階調特性データ格納部３５２から表示階調特性データが読み出され、ＦＴＰ（File Transfer Protocol）により、画像サーバ２へ表示階調特性データが送信される（ステップＳ７）。次いで、画像リクエスト画面から画像を特定する情報（例えば、撮影ＩＤ、患者ＩＤ+撮影部位+撮影日等）が入力されると、この画像特定情報が画像サーバ２に送信され、画像の配信要求が行われる（ステップＳ８）。
【００３９】
画像サーバ２において、表示階調特性データ及び画像特定情報が受信されると、画像特定情報に基づいて画像ＤＢ２３２から画像データが検索され（ステップＳ９）、検索された画像データ及び表示階調特性データが画像処理装置４へ送信される（ステップＳ１０）。画像処理装置４においては、これらの情報が受信されると、受信された表示階調特性データに基づいて画像データに対して表示階調特性を標準的な階調特性に補正するための階調補正処理等の画像処理が施され（ステップＳ１１）、処理済みの画像データが画像サーバ２に送信される（ステップＳ１２）。
【００４０】
画像サーバ２において、処理済みの画像データが受信されると、当該画像データがＦＴＰによりリクエストした参照端末３のＩＰアドレスに送信される（ステップＳ１３）。参照端末３において、処理済みの画像データが受信されると、表示部３３にこの画像データが表示される（ステップＳ１４）。
【００４１】
以上説明したように、医用画像ネットワークシステム１００によれば、参照端末３によりＷｅｂブラウザを用いて画像サーバ２へ画像ＤＢ２３２に記憶されている画像データがリクエストされ、参照端末３の表示階調特性データが送信されると、画像データ２において、リクエストされた画像データが検索され、参照端末３の表示階調特性データとともに画像処理装置４に送信される。画像処理装置４において、受信された表示階調特性データに基づいて画像データに対して表示階調特性を標準的な階調特性に補正するための階調補正処理等の画像処理が施され、画像サーバ２に送信されると、画像サーバ２において、この処理済み画像データが参照端末３へ送信され、参照端末３において、受信された処理済み画像が表示部３３に表示される。
【００４２】
従って、画像サーバ２に画像データをリクエストした全ての参照端末３に、標準的な階調で表示するように補正した処理済み画像データを送信するので、各参照端末３における画像の見え方の整合性を確保することができる。また、参照端末３は、画像サーバ２にＷｅｂ接続することにより遠隔地に設置されていても画像データを表示することができるので、医用画像を広い範囲（World-Wide）にわたって診断することができる。
【００４３】
なお、上述した本実施の形態における記述は、本発明に係る医用画像ネットワークシステム１００の一例であり、これに限定されるものではない。
例えば、上記実施の形態においては、画像処理装置４は、画像サーバ２と別体の装置として説明したが、画像サーバ２において画像処理を施すようにしてもよい。
【００４４】
＜第２の実施の形態＞
以下、図を参照して本発明の第２の実施形態について説明する。上記第１の実施の形態においては、画像データの配信要求時に参照端末３から表示階調特性データを送信する例を説明したが、本第２の実施の形態においては、画像サーバ２に参照端末３の表示階調特性に関する情報を予め登録しておき、登録された表示階調特性に関する情報を用いて配信要求された画像データを送信する例について説明する。
【００４５】
まず、構成を説明する。
本第２の実施形態における医用画像ネットワークシステム１００の全体構成は、図１で説明したのと同様であるので説明を省略する。また、医用画像ネットワークシステム１００を構成する各装置についても、第１の実施の形態で説明したのとほぼ同様であるので、相違点のみを以下に説明する。
【００４６】
画像サーバ２の記憶部２３は、画像ＤＢ２３２、表示階調特性ＤＢ２３３（図示せず）を有している。画像ＤＢ２３２は、画像収録モダリティ１から受信された画像データ及び付帯情報を互いに対応付けて記憶する。表示階調特性ＤＢ２３３は、各参照端末３のＩＰアドレスと機種情報が対応付けられて記憶されている。また、記憶部２３には、別途機種毎の表示階調特性データが記憶されており、参照端末３のＩＰアドレスからその表示階調特性データを特定できるようになっている。
【００４７】
次に、本第２の実施の形態の動作について説明する。
図５は、医用画像ネットワークシステム１００において実行される表示階調特性登録処理を示すフローチャートである。以下、図５を参照して表示階調特性登録処理について説明する。
【００４８】
参照端末３において、操作部３２から画像サーバ２に表示階調特性の登録要求を行うためのＵＲＬが指定され、画像サーバ２にアクセスされると（ステップＳ２１）、画像サーバ２において、参照端末３に認証画面のＨＴＭＬファイルが送信される（ステップＳ２２）。参照端末３において、操作部３２により認証画面上にユーザＩＤ及びパスワードが入力されて画像サーバ２に送信されると（ステップＳ２３）、画像サーバ２において、認証の可否が判断され、認証されると（ステップＳ２４）、参照端末３に表示階調特性登録画面のＨＴＭＬファイルが送信される（ステップＳ２５）。なお、ステップＳ２４において認証されない場合は、アクセス不可通知が参照端末３に送信される。
【００４９】
参照端末３において、表示階調特性登録画面のＨＴＭＬファイルが受信されると、当該画面が表示部３３に表示され（ステップＳ２６）、この画面から、参照端末３の表示階調特性に関する情報として機種情報が入力されると、この機種情報が画像サーバ２に送信される（ステップＳ２７）。
【００５０】
画像サーバ２において、参照端末３の機種情報が受信されると、この参照端末３のＩＰアドレスと機種情報とが対応付けられて表示階調特性ＤＢ２３３に記憶されることにより、画像サーバ２に当該参照端末３の表示階調特性が登録される（ステップＳ２８）。
【００５１】
次に、図６のフローチャートを参照して、上記表示階調特性登録処理後に、参照端末３から画像サーバ２に画像データのリクエストを行って表示部３３に画像データを表示する画像表示処理Ｂについて説明する。
【００５２】
参照端末３において、操作部３２から画像サーバ２に画像データの配信要求を行うためのＵＲＬが指定され、画像サーバ２にアクセスされると（ステップＳ３１）、画像サーバ２において、参照端末３に認証画面のＨＴＭＬファイルが送信される（ステップＳ３２）。参照端末３において、操作部３２により認証画面上にユーザＩＤ及びパスワードが入力され、画像サーバ２に送信されると（ステップＳ３３）、画像サーバ２において、認証の可否が判断され、認証されると（ステップＳ３４）、参照端末３に画像リクエスト画面のＨＴＭＬファイルが送信される（ステップＳ３５）。なお、ステップＳ３４において、認証されない場合は、アクセス不可通知が参照端末３に送信される。
【００５３】
参照端末３において、画像リクエスト画面のＨＴＭＬファイルが受信されると、当該画像リクエスト画面が表示部３３に表示される（ステップＳ３６）。次いで、画像リクエスト画面から画像を特定する情報（例えば、撮影ＩＤ、患者ＩＤ+撮影部位+撮影日等）が入力されると、この画像特定情報が画像サーバ２に送信され、画像の配信要求が行われる（ステップＳ３７）。
【００５４】
画像サーバ２において、画像特定情報が受信されると、画像特定情報に基づいて画像ＤＢ２３２から画像データが検索されるとともに（ステップＳ３８）、表示階調特性ＤＢ２３３が参照され、送信元の参照端末３の機種に応じた表示階調特性データが読み出され（ステップＳ３９）、検索された画像データ及び表示階調特性データが画像処理装置４へ送信される（ステップＳ４０）。画像処理装置４においては、これらの情報が受信されると、受信された表示階調特性データに基づいて画像データに対して表示階調特性を標準的な階調特性に補正するための階調補正処理等の画像処理が施され（ステップＳ４１）、処理済みの画像データが画像サーバ２に送信される（ステップＳ４２）。
【００５５】
画像サーバ２において、処理済みの画像データが受信されると、当該画像データがＦＴＰによりリクエストした参照端末３のＩＰアドレスに送信される（ステップＳ４３）。参照端末３において、処理済みの画像データが受信されると、表示部３３にこの画像データが表示される（ステップＳ４４）。
【００５６】
以上説明したように、医用画像ネットワークシステム１００によれば、参照端末３によりＷｅｂブラウザを用いて画像サーバ２へ画像ＤＢ２３２に記憶されている画像データがリクエストされると、画像サーバ２において画像ＤＢ２３２からリクエストされた画像データが検索され、予め画像サーバ２に登録された、参照端末３の機種に応じた表示階調特性データとともに画像処理装置４へ送信される。画像処理装置４において、受信された表示階調特性データに基づいて画像データに対して表示階調特性を標準的な階調特性に補正するための階調補正処理等の画像処理が施され、画像サーバ２に送信されると、画像サーバ２において、この処理済み画像データが参照端末３へ送信され、参照端末３において、受信された処理済み画像が表示部３３に表示される。
【００５７】
従って、画像サーバ２に画像データをリクエストした全ての参照端末３に、標準的な階調で表示するように補正した処理済み画像データを送信するので、各参照端末３における画像の見え方の整合性を確保することができる。また、参照端末３は、画像サーバ２にＷｅｂ接続することにより遠隔地に設置されていても画像データを表示することができるので、医用画像を広い範囲（World-Wide）にわたって診断することができる。
【００５８】
なお、上述した本実施の形態における記述は、本発明に係る医用画像ネットワークシステム１００の一例であり、これに限定されるものではない。
例えば、上記実施の形態においては、画像処理装置４は、画像サーバ２と別体の装置として説明したが、画像サーバ２において画像処理を施すようにしてもよい。
【００５９】
また、参照端末３の表示階調特性に関するデータを、画像サーバ２で記憶することとしたが、画像処理装置４で記憶するようにしてもよい。
【００６０】
また、上記実施の形態においては、参照端末３から画像サーバ２に機種情報を登録することにより、画像サーバ２において参照端末３の表示階調特性データを特定できる構成としたが、参照端末３から画像サーバ２に輝度測定データ等の表示階調特性データを送信し、画像サーバ２側で各参照端末３の表示階調特性データを記憶しておくこととしてもよい。
【００６１】
＜第３の実施の形態＞
以下、図を参照して本発明の第３の実施形態について説明する。
まず、構成を説明する。
本実施形態における医用画像ネットワークシステム１００の全体構成は、図１で説明したのと同様であるので説明を省略する。また、医用画像ネットワークシステム１００を構成する各装置についても、第１の実施の形態で説明したのとほぼ同様であるので、相違点のみを以下に説明する。
【００６２】
画像サーバ２の記憶部２３は、画像ＤＢ２３２、ウェッジパターン画像データ格納部２３４（図示せず）を有している。画像ＤＢ２３２は、画像収録モダリティ１から受信された画像データ及び付帯情報を互いに対応付けて記憶する。ウェッジパターン画像データ格納部２３４は、複数ステップ（例えば、１６ステップ）からなるグレースケールであるウェッジパターン画像のデータを格納する。図７に、ウェッジパターン画像データ格納部２３４に記憶されるウェッジパターン画像の一例を示す。
【００６３】
次に、本第３の実施の形態の動作について説明する。
図８は、医用画像ネットワークシステム１００において実行される画像表示処理Ｃを示すフローチャートである。以下、図８を参照して画像表示処理Ｃについて説明する。
【００６４】
参照端末３において、操作部３２から画像サーバ２に画像データの配信要求を行うためのＵＲＬが指定され、画像サーバ２にアクセスされると（ステップＳ５１）、画像サーバ２において、参照端末３に認証画面のＨＴＭＬファイルが送信される（ステップＳ５２）。参照端末３において、操作部３２により認証画面上にユーザＩＤ及びパスワードが入力され、画像サーバ２に送信されると（ステップＳ５３）、画像サーバ２において、認証の可否が判断され、認証されると（ステップＳ５４）、参照端末３に画像リクエスト画面のＨＴＭＬファイルが送信される（ステップＳ５５）。なお、ステップＳ５４において、認証されない場合は、アクセス不可通知が参照端末３に送信される。
【００６５】
参照端末３において、画像リクエスト画面のＨＴＭＬファイルが受信されると、当該画像リクエスト画面が表示部３３に表示され（ステップＳ５６）、画像リクエスト画面から画像を特定する情報（例えば、撮影ＩＤ、患者ＩＤ+撮影部位+撮影日等）が入力されると、この画像特定情報が画像サーバ２に送信され、画像の配信要求が行われる（ステップＳ５７）。
【００６６】
画像サーバ２において、画像特定情報が受信されると、画像特定情報に基づいて画像ＤＢ２３２から画像データが検索される（ステップＳ５８）。また、ウェッジパターン画像データ格納部２３４からウェッジパターン画像データが読み出され、ＦＴＰにより参照端末３に送信される（ステップＳ５９）。
【００６７】
参照端末３において、ウェッジパターン画像データが受信されると、当該ウェッジパターン画像が表示部３３に表示される（ステップＳ６０）。輝度計等を用いて表示されたウェッジパターン画像の各ステップの輝度値が測定され、表示階調特性情報として測定輝度データが生成され、この輝度測定データが入力されると（ステップＳ６１）、輝度測定データがＦＴＰにより画像サーバ２へ送信される（ステップＳ６２）。
【００６８】
画像サーバ２において、輝度測定データが受信されると、ステップＳ５８で検索された画像データ及び受信された輝度測定データが画像処理装置４へ送信される（ステップＳ６３）。画像処理装置４においては、これらの情報が受信され、受信された輝度測定データに基づいて画像データに対して表示階調特性を標準的な階調特性に補正するための階調補正処理等の画像処理が施され（ステップＳ６４）、処理済みの画像データが画像サーバ２に送信される（ステップＳ６５）。
【００６９】
画像サーバ２において、処理済みの画像データが受信されると、当該画像データがＦＴＰによりリクエストした参照端末３のＩＰアドレスに送信される（ステップＳ６６）。参照端末３において、処理済みの画像データが受信されると、表示部３３にこの画像データが表示される（ステップＳ６７）。
【００７０】
以上説明したように、医用画像ネットワークシステム１００によれば、参照端末３によりＷｅｂブラウザを用いて画像サーバ２に接続され、画像ＤＢ２３２に記憶されている画像データがリクエストされると、画像サーバ２において、リクエストされた画像データが画像ＤＢ２３２から検索される。また、画像サーバ２から参照端末３にウェッジパターン画像データが送信され、参照端末３の表示部３３にウェッジパターン画像が表示され、表示されたウェッジパターン画像を輝度計等により測定した輝度測定データが画像サーバ２に送信されると、検索された画像データが参照端末３の輝度測定データとともに画像処理装置４へ送信される。画像処理装置４において、受信された輝度測定データに基づいて画像データに対して表示階調特性を標準的な階調特性に補正するための階調補正処理等の画像処理が施され、画像サーバ２に送信されると、画像サーバ２において、この処理済み画像データが参照端末３へ送信され、参照端末３において、受信された処理済み画像が表示部３３に表示される。
【００７１】
従って、画像サーバ２に画像データをリクエストした全ての参照端末３に、標準的な階調で表示するように補正した処理済み画像データを送信するので、各参照端末３における画像の見え方の整合性を確保することができる。また、参照端末３で画像を表示する際に、各参照端末３間で同一のウェッジパターン画像を用いて測定して得られた輝度測定データに基づいて画像データの補正を行うので、画像を表示する際の環境をも加味した階調補正を行うことができ、より表示精度を向上させることができる。
【００７２】
なお、上述した本実施の形態における記述は、本発明に係る医用画像ネットワークシステム１００の一例であり、これに限定されるものではない。
例えば、上記実施の形態においては、画像処理装置４は、画像サーバ２と別体の装置として説明したが、画像サーバ２において画像処理を施すようにしてもよい。また、輝度測定データに基づいて、画像サーバ２において、標準的な階調に補正するためのＬＵＴを作成し、ＬＵＴと画像データを参照端末３に送信して、参照端末３側で画像処理を施すようにしてもよい。
【００７３】
また、参照端末３から初めて画像サーバ２に画像データのリクエストがあったときに、上述した画像表示処理Ｃを行い、画像サーバ２側で参照端末３から送信されたウェッジパターン画像の輝度測定データを参照端末３のＩＰアドレスと対応付けて記憶しておけば、２回目以降に当該ＩＰアドレスから画像データのリクエストがあった場合、記憶されている輝度測定データを用いて階調補正を行うことができる。これにより、画像表示の処理を高速化することができる。
【００７４】
また、画像サーバ２或いは画像処理装置４において、撮影部位毎に階調補正用のＬＵＴを記憶しておき、参照端末３からリクエストされた画像データの撮影部位に応じたＬＵＴと、輝度測定データにより得られた表示部３３の表示階調特性を標準の階調特性に補正するためのＬＵＴとを合成し、これにより画像データを補正するようにしてもよい。画像データの撮影部位は、付帯情報から得ることができる。また、画像データのヒストグラムを作成し、ヒストグラムの形状から撮影部位を判別するようにしてもよい。このようにすれば、参照端末３において、撮影部位に応じて見やすい表示を行うことができる。
【００７５】
また、参照端末３において、画像サーバ２から送信されたウェッジパターン画像を表示部３３に表示する際には、参照端末３のＧＵＩ（Graphical User Interface）フォーマットに応じて、実際に画像データを診断する際のレイアウトとして設定されている画面レイアウトの画像表示領域にウェッジパターン画像を表示することが望ましい。例えば、診断用に設定されている画面レイアウトが図９（ａ）に示すレイアウトである場合、画像サーバ２から受信されたウェッジパターン画像を図９（ｂ）に示すように表示して各ステップの輝度を測定することにより、画像表示領域における表示階調特性をより正確に得ることができる。
【００７６】
このように、画像データを実際に表示する領域の表示階調特性に基づいて画像データの補正を行うことにより、より精度の高い補正を行うことができ、読影の環境条件に関わらず、最適な階調の医用画像を表示することができる。
【００７７】
＜第４の実施の形態＞
以下、図を参照して本発明の第４の実施形態について説明する。
上記第１〜第３の実施の形態は、各参照端末３における見え方の整合性を確保することが可能な医用画像ネットワークシステム１００について説明したが、実際に読影医が医用画像を観察する際には、読影医毎に画像の見方が異なり、個人差があるため、読影医毎に見やすい画像を提供することも必要となる。本第４の実施の形態においては、読影医に応じた階調の医用画像を提供する例について説明する。
【００７８】
まず、構成を説明する。
本実施形態における医用画像ネットワークシステム１００の全体構成は、図１で説明したのと同様であるので説明を省略する。また、医用画像ネットワークシステム１００を構成する各装置についても、第１の実施の形態で説明したのとほぼ同様であるので、相違点のみを以下に説明する。
【００７９】
画像サーバ２の記憶部２３は、画像ＤＢ２３２、ウェッジパターン画像データ格納部２３５（図示せず）を有している。画像ＤＢ２３２は、画像収録モダリティ１から受信された画像データ及び付帯情報を互いに対応付けて記憶する。ウェッジパターン画像データ格納部２３５は、異なる複数のウェッジパターン画像データが格納されている。
【００８０】
また、画像処理装置４は、ウェッジパターン画像データ格納部２３５に記憶されている各ウェッジパターン画像に応じた階調補正テーブルを有している。
【００８１】
次に、本第４の実施の形態の動作について説明する。
図１０は、医用画像ネットワークシステム１００において実行される画像表示処理Ｄを示すフローチャートである。以下、図１０を参照して画像表示処理Ｄについて説明する。
【００８２】
参照端末３において、操作部３２から画像サーバ２に画像データの配信要求を行うためのＵＲＬが指定され、画像サーバ２にアクセスされると（ステップＳ７１）、画像サーバ２において、参照端末３に認証画面のＨＴＭＬファイルが送信される（ステップＳ７２）。参照端末３において、操作部３２により認証画面上にユーザＩＤ及びパスワードが入力され、画像サーバ２に送信されると（ステップＳ７３）、画像サーバ２において、認証の可否が判断され、認証されると（ステップＳ７４）、参照端末３に画像リクエスト画面のＨＴＭＬファイルが送信される（ステップＳ７５）。なお、ステップＳ７４において、認証されない場合は、アクセス不可通知が参照端末３に送信される。
【００８３】
参照端末３において、画像リクエスト画面のＨＴＭＬファイルが受信されると、当該画像リクエスト画面が表示部３３に表示され（ステップＳ７６）、画像リクエスト画面から画像を特定する情報（例えば、撮影ＩＤ、患者ＩＤ+撮影部位+撮影日等）が入力されると、この画像特定情報が画像サーバ２に送信され、画像の配信要求が行われる（ステップＳ７７）。
【００８４】
画像サーバ２において、画像特定情報が受信されると、画像特定情報に基づいて画像ＤＢ２３２から画像データが検索される（ステップＳ７８）。また、参照端末３に対して、ウェッジパターン画像データ格納部２３５に格納されている複数のウェッジパターン画像データがＦＴＰにより送信される（ステップＳ７９）。
【００８５】
参照端末３において、複数のウェッジパターン画像データが受信されると、各ウェッジパターン画像が、表示部３３の表示画面上に、参照端末３のＧＵＩフォーマットに応じて並べて表示され（ステップＳ８０）、操作部３２により好みのウェッジパターン画像が選択入力されると（ステップＳ８１）、選択結果が画像サーバ２に送信される（ステップＳ８２）。
【００８６】
図１１に、表示部３３に表示される、複数のウェッジパターン画像の選択画面３３１の一例を示す。図１１に示すように、選択画面３３１には、複数の異なるウェッジパターン画像３３１ａ〜３３１ｃが表示されている。各ウェッジパターン画像３３１ａ〜３３１ｃは、１６の階調ステップからなるグレースケールである。ウェッジパターン３３１ｂは、標準の階調ステップにより構成されたパターンであり、ウェッジパターン３３１ａは、中間部がやや明るいパターンであり、ウェッジパターン３３１ｃは、中間部がやや暗いパターンである。
【００８７】
画像サーバ２において、ウェッジパターンの選択結果が受信されると、ステップＳ７８で検索された画像データ及びウェッジパターン画像の選択結果が画像処理装置４へ送信される（ステップＳ８３）。画像処理装置４において、これらの情報が受信されると、画像データに対して、受信されたウェッジパターン画像の選択結果に応じた階調補正テーブルを用いた階調補正処理等を始めとする画像処理が施され（ステップＳ８４）、処理済みの画像データが画像サーバ２に送信される（ステップＳ８５）。
【００８８】
画像サーバ２において、処理済みの画像データが受信されると、当該画像データがＦＴＰによりリクエストした参照端末３のＩＰアドレスに送信される（ステップＳ８６）。参照端末３において、処理済みの画像データが受信されると、表示部３３にこの画像データが表示される（ステップＳ８７）。
【００８９】
以上説明したように、医用画像ネットワークシステム１００によれば、参照端末３によりＷｅｂブラウザを用いて画像サーバ２に接続され、画像ＤＢ２３２に記憶されている画像データがリクエストされると、画像サーバ２において、リクエストされた画像データが画像ＤＢ２３２から検索される。また、画像サーバ２から参照端末３に複数のウェッジパターン画像データが送信され、参照端末３の表示部３３に表示された複数のウェッジパターン画像から一つが選択されると、選択結果が画像サーバ２に送信され、画像処理装置４において、選択結果に応じた階調補正テーブルを用いて検索された画像データに階調補正処理が施され、画像サーバ２を介して処理済み画像データが参照端末３に送信され、参照端末３において、受信された処理済み画像が表示部３３に表示される。
【００９０】
従って、画像を参照する読影医の見やすい階調で画像データを表示することができ、読影医の個人差を加味した診断のしやすい画像を提供することができる。
【００９１】
なお、上述した本実施の形態における記述は、本発明に係る医用画像ネットワークシステム１００の一例であり、これに限定されるものではない。
例えば、上記実施の形態においては、画像処理装置４は、画像サーバ２と別体の装置として説明したが、画像サーバ２において画像処理を施すようにしてもよい。
【００９２】
また、参照端末３から初めて画像サーバ２に画像データのリクエストがあったときに、上述した画像表示処理Ｄを行い、画像サーバ２側で参照端末３から送信されたウェッジパターン画像の選択結果を参照端末３のＩＰアドレスと対応付けて記憶しておけば、２回目以降に当該ＩＰアドレスから画像データのリクエストがあった場合、記憶されている選択結果に基づいて階調補正を行うことができる。これにより、画像表示の処理を高速化することができる。また、参照端末３から画像サーバ２にウェッジパターン画像の選択結果を送信する際に、同時に読影医ＩＤ等読影医の識別情報を送信し、画像サーバ２でＩＰアドレス、読影医識別情報、選択結果を対応付けて記憶しておく構成としてもよい。これにより、画像データをリクエストする際に、読影医識別情報を送信することで、読影医に応じた補正を施すことができ、読影医の診断しやすい画像データを提供することができる。
【００９３】
その他、本実施の形態における医用画像ネットワークシステム１００の構成部分の細部構成、及び細部動作に関しても、本発明の趣旨を逸脱することのない範囲で適宜変更可能である。
【図面の簡単な説明】
【００９４】
【図１】本発明に係る医用画像ネットワークシステム１００の全体構成を示す図である。
【図２】図１の画像サーバ２の機能的構成を示すブロック図である。
【図３】図１の参照端末３の機能的構成を示すブロック図である。
【図４】図１の医用画像ネットワークシステム１００により実行される画像表示処理Ａを示すフローチャートである。
【図５】図１の医用画像ネットワークシステム１００により実行される表示階調特性登録処理を示すフローチャートである。
【図６】図１の医用画像ネットワークシステム１００により実行される画像表示処理Ｂを示すフローチャートである。
【図７】ウェッジパターン画像データ格納部２３４に記憶されるウェッジパターン画像の一例を示す図である。
【図８】図１の医用画像ネットワークシステム１００により実行される画像表示処理Ｃを示すフローチャートである。
【図９】図３の表示部３３の画面レイアウトの一例及びそのレイアウトにおけるウェッジパターン画像の表示例を示す図である。
【図１０】図１の医用画像ネットワークシステム１００により実行される画像表示処理Ｄを示すフローチャートである。
【図１１】図３の表示部３３に表示される複数のウェッジパターン画像の選択画面３３１の一例を示す図である。
【符号の説明】
【００９５】
１００  医用画像ネットワークシステム
１  画像収録モダリティ
２  画像サーバ
３  参照端末
４  画像処理装置
２１  ＣＰＵ
２２  ＲＡＭ
２３  記憶部
２３１  Ｗｅｂサーバプログラム
２３２  画像ＤＢ
２４  通信制御部
２５  バス
３１  ＣＰＵ
３２  操作部
３３  表示部
３４  ＲＡＭ
３５  記憶部
３５１  Ｗｅｂブラウザプログラム
３５２  表示階調特性データ格納部
３７  バス
【図１】
2005131241.tif 000003
【図２】
2005131241.tif 000004
【図３】
2005131241.tif 000005
【図４】
2005131241.tif 000006
【図５】
2005131241.tif 000007
【図６】
2005131241.tif 000008
【図７】
2005131241.tif 000009
【図８】
2005131241.tif 000010
【図９】
2005131241.tif 000011
【図１０】
2005131241.tif 000012
【図１１】
2005131241.tif 000013